【事件の表示】
　特願２０１６−１５１４０６「タッチ検出器、タッチ検出チップ及びタッチ入力装置」拒絶査定不服審判事件〔平成２９年　２月　９日出願公開、特開２０１７−　３３５６７、請求項の数（１９）〕について、次のとおり審決する。
【結　論】
　原査定を取り消す。
　本願の発明は、特許すべきものとする。
【理　由】
第１　手続の経緯
　本願は，平成２８年８月１日（パリ条約による優先権主張２０１５年８月３日，韓国）の出願であって，その手続の経緯は以下のとおりである。
　平成２９年　５月２９日付け　　　拒絶理由通知書
　平成２９年１１月２７日　　　　　意見書，手続補正書の提出
　平成３０年　３月１６日付け　　　拒絶査定
　平成３０年　７月１９日　　　　　審判請求書，手続補正書の提出
第２　原査定の概要
　原査定（平成３０年３月１６日付け拒絶査定）の概要は次のとおりである。
　この出願の請求項１ないし２１に係る発明は、その優先権主張日前に日本国内又は外国において、頒布された下記の刊行物に記載された発明又は電気通信回線を通じて公衆に利用可能となった発明に基いて、その優先権主張日前にその発明の属する技術の分野における通常の知識を有する者が容易に発明をすることができたものであるから、特許法第２９条第２項の規定により特許を受けることができない。
＜引用文献等一覧＞
１．特開２０１４−１９１７７９号公報
第３　補正の適否
１　審判請求時の補正（平成３０年７月１９日提出。以下，「本件補正」という。）によって補正前の請求項１及び１４に
「前記駆動信号を伝達するための複数の出力端子を含み、
　前記複数の出力端子のうちの少なくとも一つは、圧力検出のためだけの圧力検出用出力端子であり、
　前記駆動信号が印加される前記少なくとも２つ以上の電極は、少なくとも一つの圧力検出用駆動電極とｎ個の位置検出用駆動電極を含み、
　前記駆動部は、前記ｎ個の位置検出用駆動電極に駆動信号を印加する時間区間の間に、前記少なくとも一つの圧力検出用駆動電極に駆動信号を印加するように構成され、
　前記ｎは自然数である、」
という事項を追加する補正は，「前記ｎは自然数である、」とした上で，「駆動信号」について，「前記駆動信号を伝達するための複数の出力端子を含」むとし，その「出力端子」について，「前記複数の出力端子のうちの少なくとも一つは、圧力検出のためだけの圧力検出用出力端子であり、前記駆動信号が印加される前記少なくとも２つ以上の電極は、少なくとも一つの圧力検出用駆動電極とｎ個の位置検出用駆動電極を含み」との限定を加え，さらに，「駆動信号を印可する駆動部」について，「前記ｎ個の位置検出用駆動電極に駆動信号を印加する時間区間の間に、前記少なくとも一つの圧力検出用駆動電極に駆動信号を印加するように構成され」るとの限定を加えているから，この補正は，特許請求の範囲の限定的減縮を目的とするものである。
　また，上記事項は，当初明細書【００４３】，【００４４】，【００５３】ないし【００５７】並びに【図５】，【図７】に記載されているから，この補正は新規事項を追加するものではない。
２　本件補正によって補正前の請求項９の「位置検出用駆動電極」について「ｎ個の位置検出用駆動電極を含み」とし，さらに，「駆動部」について，「前記駆動部は、前記ｎ個の位置検出用駆動電極に駆動信号を印加する時間区間の間に、前記少なくとも一つの圧力検出用駆動電極に駆動信号を印加するように構成され、前記ｎは自然数であり、」との限定を加えているから，この補正は，特許請求の範囲の限定的減縮を目的とするものである。
　また，上記事項は，当初明細書【００４３】，【００４４】，【００５３】ないし【００５７】並びに【図５】，【図７】に記載されているから，この補正は新規事項を追加するものではない。
３　本件補正により補正前の請求項２及び１５の
「前記駆動信号が印加される前記少なくとも２つ以上の電極のうち、少なくとも一つは圧力検出用駆動電極であり、」
という事項を削除する補正は，補正前の請求項２及び１５に係る発明が引用する補正前の請求項１及び１４に係る発明に，前記削除した事項を更に限定した，上記１で検討した技術的事項が追加したことに伴い，重複する記載を削除するものであるから，特許請求の範囲の限定的減縮を目的とするものであり，又，新規事項を追加するものではない。
４　本件補正により補正前の請求項７，１２及び２０の
「前記駆動信号が印加される前記少なくとも２つ以上の電極は、少なくとも一つの圧力検出用駆動電極とｎ個の位置検出用駆動電極とを含み、」
及び，
「前記駆動部は、前記ｎ個の位置検出用駆動電極に所定の時間区間の間に駆動信号を印加し、前記少なくとも一つの圧力検出用駆動電極に前記所定の時間区間の間に駆動信号を印加する、」
という事項を削除する補正は，補正前の請求項７，１２及び２０が引用する補正前の請求項１，９及び１４に係る発明に，前記削除した事項を更に限定した，上記１及び２で検討した，技術的事項が追加したことに伴い，重複する記載を削除するものであるから，特許請求の範囲の限定的減縮を目的とするものであり，又，新規事項を追加するものではない。
５　本件補正により補正前の請求項３及び１６を削除する補正は，請求項の削除を目的とするものである。
６　したがって，本件補正は，特許請求の範囲の減縮もしくは請求項の削除を目的とし，当初明細書等に記載された事項であり，又，補正前の請求項に記載された発明と補正後の請求項に記載された発明の産業上の利用分野及び解決しようとする課題が同一である。
　そして，「第４　本願発明」から「第６　対比・判断」までに示すように，補正後の請求項１ないし１９に係る発明は，独立特許要件を満たすものである。
第４　本願発明
　本願請求項１ないし１９に係る発明（以下，それぞれ「本願発明１」ないし「本願発明１９」という。）は，本件補正で補正された特許請求の範囲の請求項１ないし１９に記載された事項により特定される発明であり，以下のとおりの発明である。
「【請求項１】
　複数の電極のうち少なくとも２つ以上の電極に駆動信号を印加する駆動部と、
　前記複数の電極のうち少なくとも２つ以上の電極から複数の感知信号を受信して、タッチ位置及びタッチ圧力を検出する感知部と、
　前記複数の感知信号を受信するための複数の入力端子と、
　を含み、
　前記複数の入力端子は、前記タッチ圧力のみを検出するための１つ以上の圧力検出用入力端子及び前記タッチ位置のみを検出するための１つ以上の位置検出用入力端子を含み、
　前記駆動信号を伝達するための複数の出力端子を含み、
　前記複数の出力端子のうちの少なくとも一つは、圧力検出のためだけの圧力検出用出力端子であり、
　前記駆動信号が印加される前記少なくとも２つ以上の電極は、少なくとも一つの圧力検出用駆動電極とｎ個の位置検出用駆動電極を含み、
　前記駆動部は、前記ｎ個の位置検出用駆動電極に駆動信号を印加する時間区間の間に、前記少なくとも一つの圧力検出用駆動電極に駆動信号を印加するように構成され、
　前記ｎは自然数である、
　タッチ検出チップ。
　　【請求項２】
　前記複数の感知信号を受信するための前記少なくとも２つ以上の電極のうち、少なくとも一つは圧力検出用受信電極である、
　請求項１に記載のタッチ検出チップ。
　　【請求項３】
　前記圧力検出用駆動電極と前記圧力検出用受信電極とは、同一の圧力検出用電極であり、
　前記感知部は、前記圧力検出用入力端子を介して、前記圧力検出用電極と離隔された基準電位層と前記圧力検出用電極との間の相対的な距離によって変わる前記圧力検出用電極と前記基準電位層との間の静電容量に対する情報を含む信号を受信し、
　前記圧力検出用電極に印加される前記駆動信号は、前記駆動部と前記圧力検出用電極との間に位置する第１インピーダンスを通過した後に前記圧力検出用電極に印加され、且つ、前記圧力検出用電極から受信される前記信号は、前記感知部と前記圧力検出用電極との間に位置する第２インピーダンスを通過した後に前記感知部に受信される、
　請求項２に記載のタッチ検出チップ。
　　【請求項４】
　前記圧力検出用駆動電極と前記圧力検出用受信電極とは、同一の圧力検出用電極であり、
　前記感知部は、前記圧力検出用入力端子を介して、前記圧力検出用電極と離隔された基準電位層と前記圧力検出用電極との間の相対的な距離によって変わる前記電極と前記基準電位層との間の静電容量に対する情報を含む信号を受信し、
　前記駆動部と前記圧力検出用出力端子との間に第１インピーダンス、及び前記感知部と前記圧力検出用入力端子との間に第２インピーダンスをさらに含む、
　請求項２に記載のタッチ検出チップ。
　　【請求項５】
　前記第１インピーダンス及び前記第２インピーダンスは、静電容量性素子である、
　請求項３または４に記載のタッチ検出チップ。
　　【請求項６】
　前記複数の感知信号を受信するための前記少なくとも２つ以上の電極は、少なくとも一つの圧力検出用受信電極とｍ個の位置検出用受信電極とを含む、
　請求項１に記載のタッチ検出チップ。
　　【請求項７】
　前記感知部は、増幅器と、前記増幅器の負入力端と出力端との間に連結された帰還キャパシタとを含み、
　前記感知部は、前記所定の時間区間の間に前記ｍ個の位置検出用受信電極から検出されたｎ*ｍ個のタッチ位置データ、及び前記少なくとも一つの圧力検出用受信電極から検出された少なくとも一つのタッチ圧力データを出力できるように構成された、
　請求項６に記載のタッチ検出チップ。
　　【請求項８】
　複数の電極のうち少なくとも２つ以上の電極に駆動信号を印加する駆動部と、
　前記複数の電極のうち少なくとも２つ以上の電極から複数の感知信号を受信して、タッチ位置及びタッチ圧力を検出する感知部と、
　を含み、
　前記駆動信号が印加される前記少なくとも２つ以上の電極は、少なくとも一つの圧力検出用駆動電極とｎ個の位置検出用駆動電極を含み、
　前記駆動部は、前記ｎ個の位置検出用駆動電極に駆動信号を印加する時間区間の間に、前記少なくとも一つの圧力検出用駆動電極に駆動信号を印加するように構成され、
　前記ｎは自然数であり、
　前記複数の感知信号を受信するための前記少なくとも２つ以上の電極は、少なくとも一つの圧力検出用受信電極及び少なくとも一つの位置検出用受信電極を含む、
　タッチ検出器。
　　【請求項９】
　前記圧力検出用駆動電極と前記圧力検出用受信電極とは、同一の圧力検出用電極であり、
　前記感知部は、前記圧力検出用電極と離隔された基準電位層と前記圧力検出用電極との間の相対的な距離によって変わる前記圧力検出用電極と前記基準電位層との間の静電容量に対する情報を含む信号を受信し、
　前記圧力検出用電極に印加される前記駆動信号は、前記駆動部と前記圧力検出用電極との間に位置する第１インピーダンスを通過した後に前記圧力検出用電極に印加され、且つ、前記圧力検出用電極から受信される前記信号は、前記感知部と前記圧力検出用電極との間に位置する第２インピーダンスを通過した後に前記感知部に受信される、
　請求項８に記載のタッチ検出器。
　　【請求項１０】
　前記第１インピーダンス及び前記第２インピーダンスは、静電容量性素子である、請求項９に記載のタッチ検出器。
　　【請求項１１】
　前記複数の感知信号を受信するための前記少なくとも２つ以上の電極は、前記少なくとも一つの圧力検出用受信電極とｍ個の位置検出用受信電極とを含む、
　請求項８に記載のタッチ検出器。
　　【請求項１２】
　前記感知部は、増幅器と、前記増幅器の負入力端と出力端との間に連結された帰還キャパシタを含み、
　前記感知部は、前記所定の時間区間の間に前記ｍ個の位置検出用受信電極から検出されたｎ*ｍ個のタッチ位置データ、及び前記少なくとも一つの圧力検出用受信電極から検出された少なくとも一つのタッチ圧力データを出力できるように構成された、
　請求項１１に記載のタッチ検出器。
　　【請求項１３】
　複数の電極と、
　タッチ検出チップと、
　を含み、
　前記タッチ検出チップは、
　前記複数の電極のうち少なくとも２つ以上の電極に駆動信号を印加する駆動部と、
　前記複数の電極のうち少なくとも２つ以上の電極から複数の感知信号を受信して、タッチ位置及びタッチ圧力を検出する感知部と、
　前記複数の感知信号を受信するための複数の入力端子と、
　を含み、
　前記複数の入力端子は、前記タッチ圧力のみを検出するための１つ以上の圧力検出用入力端子及び前記タッチ位置のみを検出するための１つ以上の位置検出用入力端子を含み、
　前記駆動信号を伝達するための複数の出力端子を含み、
　前記複数の出力端子のうちの少なくとも一つは、圧力検出のためだけの圧力検出用出力端子であり、
　前記駆動信号が印加される前記少なくとも２つ以上の電極は、少なくとも一つの圧力検
出用駆動電極とｎ個の位置検出用駆動電極を含み、
　前記駆動部は、前記ｎ個の位置検出用駆動電極に駆動信号を印加する時間区間の間に、前記少なくとも一つの圧力検出用駆動電極に駆動信号を印加するように構成され、
　前記ｎは自然数である、
　タッチ入力装置。
　　【請求項１４】
　前記複数の感知信号を受信するための前記少なくとも２つ以上の電極のうち、少なくとも一つは圧力検出用受信電極である、
　請求項１３に記載のタッチ入力装置。
　　【請求項１５】
　前記圧力検出用駆動電極と前記圧力検出用受信電極とは、同一の圧力検出用電極であり、
　前記感知部は、前記圧力検出用入力端子を介して、前記圧力検出用電極と離隔された基準電位層と前記圧力検出用電極との間の相対的な距離によって変わる前記圧力検出用電極と前記基準電位層との間の静電容量に対する情報を含む信号を受信し、
　前記圧力検出用電極に印加される前記駆動信号は、前記駆動部と前記圧力検出用電極との間に位置する第１インピーダンスを通過した後に前記圧力検出用電極に印加され、且つ、前記圧力検出用電極から受信される前記信号は、前記感知部と前記圧力検出用電極との間に位置する第２インピーダンスを通過した後に前記感知部に受信される、
　請求項１４に記載のタッチ入力装置。
　　【請求項１６】
　前記圧力検出用駆動電極と前記圧力検出用受信電極とは、同一の圧力検出用電極であり、
　前記感知部は、前記圧力検出用入力端子を介して、前記圧力検出用電極と離隔された基準電位層と前記圧力検出用電極との間の相対的な距離によって変わる前記圧力検出用電極と前記基準電位層との間の静電容量に対する情報を含む信号を受信し、
　前記駆動部と前記圧力検出用出力端子との間に第１インピーダンス、及び前記感知部と前記圧力検出用入力端子との間に第２インピーダンスをさらに含む、
　請求項１４に記載のタッチ入力装置。
　　【請求項１７】
　前記第１インピーダンス及び前記第２インピーダンスは、静電容量性素子である、
　請求項１５または１６に記載のタッチ入力装置。
　　【請求項１８】
　前記複数の感知信号を受信するための前記少なくとも２つ以上の電極は、少なくとも一つの圧力検出用受信電極とｍ個の位置検出用受信電極とを含む、
　請求項１３に記載のタッチ入力装置。
　　【請求項１９】
　前記感知部は、増幅器と、前記増幅器の負入力端と出力端との間に連結された帰還キャパシタを含み、
　前記感知部は、前記所定の時間区間の間に前記ｍ個の位置検出用受信電極から検出されたｎ*ｍ個のタッチ位置データ、及び前記少なくとも一つの圧力検出用受信電極から検出された少なくとも一つのタッチ圧力データを出力できるように構成された、
　請求項１８に記載のタッチ入力装置。」
第５　引用文献，引用発明等
１　引用文献１について
　原査定の拒絶の理由に引用された引用文献１には，図面とともに次の事項が記載されている。
「【技術分野】
【０００１】
　本発明は、入力機能付き表示装置、および電子機器に関する。
【背景技術】
【０００２】
　従来から、例えば、入力操作を検出するための検出電極を含む入力板と、画像を表示するための表示電極を含む表示板とが互いに対向して配置された入力機能付き表示装置が知られている。入力板のうち表示板と対向する面上には、導電層が設けられている。このような表示装置では、使用者における指等と検出電極との間の容量に基づいて入力操作を検出するとともに、導電層と表示電極との間の容量に基づいて入力板に対する押圧操作を検出することができる。ここで、導電層は、例えば、表示電極から検出電極に対して電気的ノイズが混入する可能性を低減する目的で、入力板のうち表示板と対向する全面上に設けられている（例えば、特許文献１参照）。
【先行技術文献】
【特許文献】
【０００３】
【特許文献１】特開平７−６４７２５号公報
【発明の概要】
【発明が解決しようとする課題】
【０００４】
　しかしながら、上記従来の表示装置では、例えば、導電層の面積が相対的に大きいため、押圧操作を検出する際に、表示電極から導電層に混入する電気的ノイズが相対的に大きくなる可能性があった。表示電極から導電層に混入する電気的ノイズが相対的に大きくなると、押圧操作の検出精度が低下してしまう可能性があった。
【０００５】
　本発明は、このような事情を鑑みてなされたものであり、その目的は、検出精度が低下してしまう可能性を低減することができる入力機能付き表示装置、および電子機器に関する。
【課題を解決するための手段】
【０００６】
　本発明に係る入力機能付き表示装置の一態様は、中央領域および該中央領域を取り囲むように位置する周縁領域を有しており、入力操作を検出するための検出電極を含む入力板と、該入力板上に設けられており、平面視して前記検出電極と重なる導電層と、該導電層と対向して配置されており、画像を表示するための表示電極を含む表示板と、前記導電層と前記表示板とを離間させるように前記周縁領域において前記入力板を支持する支持部材と、を備え、前記導電層は、少なくとも一部が前記中央領域に位置する第１導電層と、少なくとも一部が前記周縁領域に位置しており、前記第１導電層とは離間した第２導電層と、を有している。
【０００７】
　本発明に係る電子機器は、本発明に係る入力機能付き表示装置と、該入力機能付き表示装置が収容された筺体と、を備える。
【発明の効果】
【０００８】
　本発明の入力機能付き表示装置、および電子機器は、検出精度が低下してしまう可能性を低減することができる、という効果を奏する。」
「【００１３】
　図１〜図５に示すように、表示装置Ｘ１は、入力機能付き表示装置である。表示装置Ｘ１は、入力板２、導電層３、表示板４、支持部材５、バックライト６、回路基板７、および第１筺体８を備えている。なお、図１では、バックライト６および回路基板７の図示は省略する。
【００１４】
　入力板２は、入力機能を有している。入力板２は、基体２１、検出電極２２、第１絶縁層２３、および第２絶縁層２４を有している。
【００１５】
　基体２１は、検出電極２２、第１絶縁層２３、および第２絶縁層２４を支持する役割を有する。基体２１は、第１主面２１Ａおよび第２主面２１Ｂを有する。第１主面２１Ａは、第２主面２１Ｂよりも使用者側に位置している。第２主面２１Ｂは、第１主面２１Ａの反対側に位置している。具体的には、第２主面２１Ｂは、第１主面２１Ａよりも使用者から遠い側に位置している。なお、本実施形態では、基体２１は、平面視して矩形状であるが、これに限らない。基体２１は、平面視して円形状あるいは多角形状等であってもよい。入力板２の構成材料としては、例えば、ガラスあるいはプラスチック等の透明樹脂材料が挙げられる。
【００１６】
　検出電極２２は、入力操作を検出する役割を有する。検出電極２２は、基体２１の第２主面２１Ｂ上に設けられている。ここで、表示装置Ｘ１の使用者が指Ｆ１を第１主面２１Ａに接触あるいは近接した場合に、基体２１を介して検出電極２２と指Ｆ１との間に容量が生じる。表示装置Ｘ１では、当該容量の変化を捉えることによって、入力操作を検出することができる。
【００１７】
　検出電極２２は、入力電極２２ａおよび出力電極２２ｂを有する。
【００１８】
　入力電極２２ａは、制御ＩＣ７１に含まれる第１電圧供給部１１１（図９参照）から電圧が印加される電極である。入力電極２２ａは、基体２１の第２主面２１Ｂ上において、Ｘ方向に並んで複数設けられている。なお、本実施形態では、入力電極２２ａは、平面視してＹ方向に伸びる略矩形状である。すなわち、入力電極２２ａの長手方向は、Ｙ方向である。なお、入力電極２２ａの平面視形状は、表示装置Ｘ１の使用態様に応じて適宜変更することができる。
【００１９】
　出力電極２２ｂは、入力電極２２ａに印加された電圧に基づいて、制御ＩＣ７１に含まれる第１受信部１１２（図９参照）に対して信号を出力する電極である。出力電極２２ｂは、基体２１の第２主面２１Ｂ上において、Ｙ方向に並んで複数設けられている。具体的には、出力電極２２ｂは、第１絶縁層２３上に設けられている。ここで、第１絶縁層２３は、入力電極２２ａを被覆して、基体２１の第２主面２１Ｂ上に設けられている。第１絶縁層２３の構成材料としては、例えば、アクリル系樹脂、シリコーン系樹脂、ゴム系樹脂、あるいはウレタン系樹脂等の樹脂材料が挙げられる。
【００２０】
　なお、本実施形態では、出力電極２２ｂは、平面視してＸ方向に伸びる略矩形状である。すなわち、出力電極２２ｂの長手方向は、Ｘ方向である。なお、出力電極２２ｂの平面視形状は、表示装置Ｘ１の使用態様に応じて適宜変更することができる。ここで、Ｘ方向とＹ方向とは、互いに異なる方向である。このため、出力電極２２ｂは、平面視して入力電極２２ａと交差している。また、複数の出力電極２２ｂは、複数の出力電極群２２Ｂに群別されている。本実施形態では、出力電極群２２Ｂは、３つの出力電極２２ｂを含んでおり、３群設けられている。」
「【００２７】
　導電層３は、入力板２上に設けられている。具体的には、導電層３は、第２絶縁層２４上に設けられている。また、導電層３は、平面視して検出電極２２と重なっている。導電層３は、第１導電層３１および第２導電層３２を有している。
【００２８】
　第１導電層３１は、表示板４の表示電極４５との間において容量を発生する役割を有する。本実施形態では、第１導電層３１は、入力電極２２ａの長手方向であるＹ方向に沿って設けられている。すなわち、第１導電層３１の長手方向は、Ｙ方向である。第１導電層３１は、第１部位３１ａおよび第２部位３１ｂを有している。第１部位３１ａは、中央領域Ｅ１に位置している。第２部位３１ｂは、第１部位３１ａと制御ＩＣ７１に含まれる第２制御部１３０（図９参照）とを電気的に接続するための部位である。第２部位３１ｂは、第１部位３１ａと連続しており、周縁領域Ｅ２に位置している。
【００２９】
　第２導電層３２は、表示板４の表示電極４５から発生した電気的ノイズが、検出電極２２に混入する可能性を低減する役割を有する。第２導電層３２は、周縁領域Ｅ２に位置しており、第１導電層３１とは離間している。具体的には、第２導電層３２は、中央領域Ｅ１に位置する第１部位３１ａを取り囲むように位置している。本実施形態では、第２導電層３２は、第２部位３１ｂが設けられていない周縁領域Ｅ２の略全体に亘って設けられている。」
「【００３９】
　具体的には、表示装置Ｘ１では、第１導電層３１と第１表示電極４５ａとの間における容量の変化を捉えて押圧操作を検出する。すなわち、例えば、第１導電層３１に電圧が印加されることによって、第１導電層３１と第１表示電極４５ａとの間には、第１導電層３１と第１表示電極４５ａとの離間距離Ｄ１に応じた容量が生じる。ここで、図６に示すように、指Ｆ１によって入力板２が第１主面２１Ａから第２主面２１Ｂへと押圧された場合、離間距離Ｄ１が変化する。このため、当該離間距離の変化に伴って、第１導電層３１と第１表示電極４５ａとの間に生じる容量が変化する。表示装置Ｘ１では、当該容量の変化を捉えて押圧操作を検出する。
【００４０】
　ここで、従来の表示装置では、導電層は、第１導電層と第２導電層とに分かれていなかった。具体的には、導電層は、中央領域から周縁領域に亘って設けられていた。このような表示装置では、導電層によって、第１表示電極との間における容量の変化を捉えて押圧操作を検出するとともに、第１表示電極から検出電極に電気的ノイズが混入する可能性を低減していた。しかしながら、導電層は、中央領域から周縁領域に亘って設けられているために、押圧操作を検出する際に、第１表示電極から生じた電気的ノイズが混入する可能性が高かった。また、入力板は周縁領域において支持部材に支持されているために、指によって入力板が第１主面から第２主面へと押圧された場合、周縁領域に位置する導電層と第１表示電極との離間距離の変化が相対的に小さくなる。このため、周縁領域に位置する導電層は、導電層と第１表示電極との間における容量の変化に寄与しない可能性が低かった。
【００４１】
　そこで、表示装置Ｘ１では、導電層３は、第１導電層３１および第２導電層３２を有している。第１導電層３１の一部は、中央領域Ｅ１に位置している。ここで中央領域Ｅ１は、指Ｆ１による入力板２の押圧によって、導電層３と第１表示電極４５ａとの離間距離Ｄ１に変化が生じやすい領域である。表示装置Ｘ１では、中央領域Ｅ１に第１導電層３１の少なくとも一部を設けるとともに、周縁領域Ｅ２には第１導電層３１と離間した第２導電層３２を設けている。このため、第１導電層３１は、従来の表示装置における導電層に比して平面視における面積を小さくすることができるとともに、第１導電層３１と第１表示電極４５ａとの間における容量の変化が小さくなってしまう可能性を低減することができる。そのため、押圧操作の検出精度が低下してしまう可能性を低減することができる。また、周縁領域Ｅ２においては、第２導電層３２によって第１表示電極４５ａから検出電極２２に電気的ノイズが混入する可能性を低減することができる。このため、入力操作の検出精度が低下してしまう可能性を低減することができる。
【００４２】
　なお、本実施形態のように、第１部位３１ａの平面視幅Ｗ１は、第２部位３１ｂの平面視幅Ｗ２よりも大きいことが好ましい。このような構成によれば、指Ｆ１による入力板２の押圧によって、離間距離Ｄ１が変化しやすい中央領域Ｅ１に位置する第１部位３１ａにおいて、第１表示電極４５ａとの間において生じる容量をより大きくすることができる。
【００４３】
　また、本実施形態では、第１導電層３１は、第１部位３１ａおよび第２部位３１ｂを有する例について説明したが、これに限らない。第１導電層３１は、例えば、図７に示すように、中央領域Ｅ１および周縁領域Ｅ２において略同一の平面視幅を有していてもよい。また、第１導電層３１は、例えば、図８に示すように、第２導電層３２を２つに分断するように設けられていてもよい。このように、第１導電層３１の平面視形状は、本発明の趣旨を逸脱しない範囲において、種々の変形が可能である。
【００４４】
　また、第２導電層３２は、基準電位に設定されていることが好ましい。第２導電層３２が基準電位に設定されていると、当該第２導電層３２によって第１表示電極４５ａから検出電極２２に電気的ノイズが混入する可能性をより低減することができる。」
「【００４６】
　回路基板７は、バックライト６の下方に配置されており、その下面には、制御ＩＣ７１が設けられている。
制御ＩＣ７１は、例えば、入力操作の検出および押圧操作の検出を行う役割を有する。
【００４７】
　
制御ＩＣ７１は、例えば、ＣＰＵ（Central Processing Unit）およびメモリから構成されており、図９に示すように、第１制御部１１０、動作制御部１２０、第２制御部１３０、および基準電位設定部１４０を含んでいる。なお、本実施形態では、第１制御部１１０、動作制御部１２０、第２制御部１３０、および基準電位設定部１４０は、物理的に１つの制御ＩＣ７１に含まれている
「【００５２】
　次に、図９を参照しながら、制御ＩＣ７１が備える第１制御部１１０、動作制御部１２０、第２制御部１３０、および基準電位設定部１４０について、具体的に説明する。
【００５３】
　ここで、上記の第１制御部１１０、動作制御部１２０、第２制御部１３０、および基準電位設定部１４０の各機能は、コンピュータが備えるＣＰＵ等の演算装置が所定のプログラムを実行することによって実現される。
【００５４】
　
第１制御部１１０は、第１電圧供給部１１１および第１受信部１１２を有する。
【００５５】
　
第１電圧供給部１１１は、入力電極２２ａに対して入力信号Ｖinを供給する役割を有する。
第１受信部１１２は、入力信号Ｖinに対応した出力信号Ｉoutを、出力電極２２ｂから受信する役割を有する。
指Ｆ１が基体２１の第１主面２１Ａに接触あるいは近接することで入力操作が行われた場合、指Ｆ１と検出電極２２との間に容量Ｃ１が生じる。このため、第１受信部１１２が受信した電流量Ｉ
１
は、電流量Ｉ
２
へと変化する。なお、本実施形態では、第１受信部１１２は、出力電極群２２Ｂ毎に出力信号Ｉoutを検出している。すなわち、第１受信部１１２は、１つの出力電極群２２Ｂに含まれる３つの出力電極２２ｂから同時に出力信号Ｉoutを受信する。
【００５６】
　
動作制御部１２０は、比較部１２１および切替部１２２を有する。
【００５７】
　比較部１２１は、図示しない閾値記録部に記録された閾値Ｉxを参照し、当該閾値Ｉxと出力信号Ｉoutとを比較する。
比較部１２１は、出力信号Ｉoutが閾値Ｉxに達した場合に、入力操作が行われたと判断し、当該入力操作を検出する。
【００５８】
　
切替部１２２は、第１制御部１１０と第２制御部１３０との動作を切り替える役割を有する。切替部１２２は、比較部１２１が入力操作を検出した場合に、第１制御部１１０の動作を停止するとともに、第２制御部１３０の動作を開始する。また、切替部１２２は、比較部１２１が押圧操作を検出した場合に、第２制御部１３０の動作を停止するとともに、第１制御部１１０の動作を開始する。すなわち、本実施形態では、第１制御部１１０と第２制御部１３０とは、同時に動作していない。
【００５９】
　
第２制御部１３０は、第２電圧供給部１３１および第２受信部１３２を有する。
【００６０】
　
第２電圧供給部１３１は、第１導電層３１に対して入力信号Ｖinを供給する役割を有する。
第２受信部１３２は、入力信号Ｖinに対応した出力信号Ｉoutを受信する役割を有する。
指Ｆ１が基体２１を第１主面２１Ａから第２主面２１Ｂへと押圧した場合、第１導電層３１と表示電極４５との間の容量Ｃ２が変化する。このため、第２受信部１３２が受信した電流量Ｉ
３
は、電流量Ｉ
４
へと変化する。ここで、比較部１２１は、図示しない閾値記録部に記録された閾値Ｉｙを参照し、当該閾値Ｉｙと出力信号Ｉoutとを比較する。比較部１２１は、出力信号Ｉoutが閾値Ｉｙに達した場合に、押圧操作が行われたと判断し、当該押圧操作を検出する。このように、本実施形態では、１つの比較部１２１によって、入力操作および押圧操作を検出することができる。
【００６１】
　
基準電位設定部１４０は、検出電極２２または第１導電層３１を基準電位に設定する役割を有する。基準電位設定部１４０は、第１制御部１１０が動作している場合は、第１導電層３１を基準電位に設定する。このため、表示装置Ｘ１の使用者が入力操作を行う際に、第１表示電極４５ａから検出電極２２に電気的ノイズが混入する可能性をより低減することができる。また、基準電位設定部１４０は、第２制御部１３０が動作している場合は、検出電極２２を基準電位に設定する。このため、表示装置Ｘ１の使用者が押圧操作を行う際に、当該使用者の指Ｆ１から第１導電層３１に電気的ノイズが混入する可能性を低減することができる。
【００６２】
　なお、上記では、第１制御部１１０、動作制御部１２０、第２制御部１３０、および基準電位設定部１４０は、ソフトウェアによって実現される例を説明したが、これに限らない。第１制御部１１０、動作制御部１２０、第２制御部１３０、および基準電位設定部１４０は、ハードウェアによって実現されていてもよい。また、第１制御部１１０、動作制御部１２０、第２制御部１３０、および基準電位設定部１４０の一部の機能がソフトウェアによって実現され、第１制御部１１０、動作制御部１２０、第２制御部１３０、および基準電位設定部１４０の残部の機能がハードウェアによって実現されていてもよい。」
「【００６３】
　次に、図１０〜図１２を参照しなから、表示装置Ｘ１の動作について説明する。
【００６４】
　まず、図１０を参照しながら、入力操作の検出を行う際の動作について説明する。図１０に示すように、まず、第１電圧供給部１１１は、入力電極２２ａに対して入力信号Ｖinを供給する（Ｏｐ１）。そして、第１受信部１１２は、入力信号Ｖinに対応する出力信号Ｉoutを、出力電極２２ｂから常時受信している（Ｏｐ２）。ここで、指Ｆ１が基体２１の第１主面２１Ａに接触あるいは近接した場合、出力信号Ｉoutが変化する。比較部１２１は、閾値記録部に記録された閾値Ｉxを参照し、当該閾値Ｉxと第１受信部１１２が受信した出力信号Ｉoutとを比較し（Ｏｐ３）、出力信号Ｉoutが閾値Ｉx以上であるか否かを判定する（Ｏｐ４）。比較部１２１は、出力信号Ｉoutが閾値Ｉx以上であると判定すれば（Ｏｐ４にてＹＥＳ）、指Ｆ１によって入力操作が行われたと判断し、当該入力操作を検出する（Ｏｐ５）。一方、比較部１２１は、出力信号Ｉutが閾値Ｉxに達していないと判定すれば（Ｏｐ４にてＮＯ）、Ｏｐ３に戻って出力信号Ｉoutと閾値Ｉxとの比較を続ける。なお、上述したＯｐ１〜Ｏｐ５において、第１導電層３１は、基準電位に設定されている。
【００６５】
　次に、図１１（ａ）を参照しながら、入力操作の検出後の動作について説明する。図１１（ａ）に示すように、比較部１２１が入力操作を検出した後（Ｏｐ５）、比較部１２１は、切替部１２２に対して検出完了信号を送出する。検出完了信号を受信した切替部１２２は、第１制御部１１０の動作を停止させる（Ｏｐ６）。そして、切替部１２２は、基準電位設定部１４０に対して、切替信号を送出する。切替信号を受信した基準電位設定部１４０は、検出電極２２を基準電位に設定するとともに（Ｏｐ７）、第１導電層３１を基準電位から解放する（ＯＰ８）。そして、切替部１２２は、第２制御部１３０の動作を開始させる（Ｏｐ９）。なお、Ｏｐ６〜Ｏｐ８の順序は任意である。
【００６６】
　次に、図１２を参照しながら、押圧操作の検出を行う際の動作について説明する。図１２に示すように、第２電圧供給部１３１は、第１導電層３１に対して入力信号Ｖinを供給する（Ｏｐ１０）。そして、第２受信部１３２は、入力信号Ｖinに対応する出力信号Ｉoutを、第１導電層３１から受信する（Ｏｐ１１）。ここで、指Ｆ１が入力板２を第１主面２１Ａから第２主面２１Ｂへ押圧した場合、出力信号Ｉoutが変化する。比較部１２１は、閾値記録部に記録された閾値Ｉyを参照し、当該閾値Ｉyと出力信号Ｉoutとを比較し（Ｏｐ１２）、出力信号Ｉoutが閾値Ｉy以上であるか否かを判定する（Ｏｐ１３）。そして、比較部１２１は、出力信号Ｉoutが閾値Ｉyに達したと判定すれば（Ｏｐ１３にてＹＥＳ）、指Ｆ１によって押圧操作が行われたと判断し、当該押圧操作を検出する（Ｏｐ１４）。一方、比較部１２１は、検出信号Ｖoutが閾値Ｖyに達していないと判断すれば（Ｏｐ１３にてＮＯ）、Ｏｐ１２に戻って出力信号Ｉoutと閾値Ｉｙとの比較を続ける。なお、使用者の指Ｆ１が基体２１の第１主面２１Ａから離れた時点で、図１２の処理を終了してもよい。
【００６７】
　次に、図１１（ｂ）を参照しながら、押圧操作の検出後の動作について説明する。図１１（ｂ）に示すように、比較部１２１が押圧操作を検出した後（Ｏｐ１４）、比較部１２１は、切替部１２２に対して検出完了信号を送出する。検出完了信号を受信した切替部１２２は、第２制御部１３０の動作を停止させる（Ｏｐ１５）。そして、切替部１２２は、基準電位設定部１４０に対して、切替信号を送出する。切替信号を受信した基準電位設定部１４０は、第１導電層３１を基準電位に設定するとともに（Ｏｐ１６）、検出電極２２を基準電位から解放する（ＯＰ１７）。そして、切替部１２２は、第１制御部１１０の動作を開始させる（Ｏｐ１８）。なお、Ｏｐ１５〜Ｏｐ１７の順序は任意である。
【００６８】
　以上のように、表示装置Ｘ１では、検出精度が低下してしまう可能性を低減することができる。」
　上記記載から，引用文献１には以下の発明（以下，「引用発明」という。）が記載されていると認められる。
「入力操作の検出および押圧操作の検出を行う制御ＩＣ７１であって，
　制御ＩＣ７１は，第１制御部１１０，動作制御部１２０，第２制御部１３０，および基準電位設定部１４０を含み，
　　第１制御部１１０は，第１電圧供給部１１１および第１受信部１１２を有し，
　　　第１電圧供給部１１１は，入力電極２２ａに対して入力信号Ｖinを供給し，
　　　第１受信部１１２は，入力信号Ｖinに対応した出力信号Ｉoutを，出力電極２２ｂから受信し，
　　　指Ｆ１が基体２１の第１主面２１Ａに接触あるいは近接することで入力操作が行われた場合，指Ｆ１と検出電極２２との間に容量Ｃ１が生じ，第１受信部１１２が受信した電流量Ｉ１は，電流量Ｉ２へと変化し，
　　第２制御部１３０は，第２電圧供給部１３１および第２受信部１３２を有し，
　　　第２電圧供給部１３１は，第１導電層３１に対して入力信号Ｖinを供給し，
　　　第２受信部１３２は，入力信号Ｖinに対応した出力信号Ｉoutを受信し，
　　　指Ｆ１が基体２１を第１主面２１Ａから第２主面２１Ｂへと押圧した場合，第１導電層３１と表示電極４５との間の容量Ｃ２が変化し，第２受信部１３２が受信した電流量Ｉ３は，電流量Ｉ４へと変化し，
　　動作制御部１２０は，比較部１２１および切替部１２２を有し，
　　　比較部１２１は，出力信号Ｉoutが閾値Ｉxに達した場合に，入力操作が行われたと判断し，当該入力操作を検出し，
　　　比較部１２１は，出力信号Ｉoutが閾値Ｉｙに達した場合に，押圧操作が行われたと判断し，
　　　切替部１２２は，第１制御部１１０と第２制御部１３０との動作を切り替える役割を有し，
　　　　切替部１２２は，比較部１２１が入力操作を検出した場合に，第１制御部１１０の動作を停止するとともに，第２制御部１３０の動作を開始し，
　　　　切替部１２２は，比較部１２１が押圧操作を検出した場合に，第２制御部１３０の動作を停止するとともに，第１制御部１１０の動作を開始し，
　　基準電位設定部１４０は，第１制御部１１０が動作している場合は，検出電極２２に電気的ノイズが混入する可能性をより低減するために，第１導電層３１を基準電位に設定し，
　　基準電位設定部１４０は，第２制御部１３０が動作している場合は，第１導電層３１に電気的ノイズが混入する可能性を低減するために，検出電極２２を基準電位に設定する，
　制御ＩＣ７１。」
第６　対比・判断
１　本願発明１について
（１）対比
　本願発明１と引用発明とを対比すると，次のことがいえる。
ア　引用発明の「制御ＩＣ７１」は，「第１電圧供給部１１１は，入力電極２２ａに対して入力信号Ｖinを供給し」，加えて，「第２電圧供給部１３１は，第１導電層３１に対して入力信号Ｖinを供給し」ているから，このことは，本願発明１の「複数の電極のうち少なくとも２つ以上の電極に駆動信号を印加する」と同様の動作を行っていると認められる。
　そうすると，引用発明の「入力信号Ｖin」は，本願発明１の「駆動信号」に相当し，さらに，引用発明の「第１電圧供給部１１１」及び「第２電圧供給部１３１」は，本願発明１の「複数の電極のうち少なくとも２つ以上の電極に駆動信号を印加する駆動部」に相当する。
　さらに，引用発明の「入力信号Ｖin」は，「入力電極２２ａ」及び「第１導電層３１」に供給されているから，引用発明の「入力電極２２ａ」及び「第１導電層３１」は，本願発明１の「前記駆動信号が印加される前記少なくとも２つ以上の電極」に相当し，本願発明１の「前記ｎは自然数である」ことから，引用発明の「入力電極２２ａ」及び「第１導電層３１」は，本願発明１の「少なくとも一つの圧力検出用駆動電極とｎ個の位置検出用駆動電極」を含むものと同様の構成であると認められる。
イ　引用発明の「第１受信部１１２」は，「入力信号Ｖinに対応した出力信号Ｉoutを，出力電極２２ｂから受信し，指Ｆ１が基体２１の第１主面２１Ａに接触あるいは近接することで入力操作が行われた場合，指Ｆ１と検出電極２２との間に容量Ｃ１が生じ，第１受信部１１２が受信した電流量Ｉ１は，電流量Ｉ２へと変化し」，「比較部１２１」で，「出力信号Ｉoutが閾値Ｉxに達した場合に，入力操作が行われたと判断し，当該入力操作を検出し」，加えて，「第２受信部１３２」は，「入力信号Ｖinに対応した出力信号Ｉoutを受信し，指Ｆ１が基体２１を第１主面２１Ａから第２主面２１Ｂへと押圧した場合，第１導電層３１と表示電極４５との間の容量Ｃ２が変化し，第２受信部１３２が受信した電流量Ｉ３は，電流量Ｉ４へと変化し，」「比較部１２１」で，出力信号Ｉoutが閾値Ｉｙに達した場合に，押圧操作が行われたと判断し」ているから，引用発明の「比較部１２１」は，入力操作及び押圧操作を検知していると認められる。
　そうすると，引用発明の「比較部１２１」は，本願発明１の「前記複数の電極のうち少なくとも２つ以上の電極から複数の感知信号を受信して、タッチ位置及びタッチ圧力を検出する感知部」に相当する。
ウ　引用発明の「制御ＩＣ７１」は，入力操作及び押圧操作を検知しているから，本願発明１の「タッチ検出チップ」に相当する。
エ　そうすると，本願発明１と引用発明とは，以下の点で一致し，又相違する。
［一致点］
「複数の電極のうち少なくとも２つ以上の電極に駆動信号を印加する駆動部と，
　前記複数の電極のうち少なくとも２つ以上の電極から複数の感知信号を受信して，タッチ位置及びタッチ圧力を検出する感知部と，
　を含み，
　前記駆動信号が印加される前記少なくとも２つ以上の電極は，少なくとも一つの圧力検出用駆動電極とｎ個の位置検出用駆動電極を含み，
　前記ｎは自然数である，
　タッチ検出チップ。」
［相違点１］
　本願発明１は，「前記複数の感知信号を受信するための複数の入力端子」を含み，「前記複数の入力端子は、前記タッチ圧力のみを検出するための１つ以上の圧力検出用入力端子及び前記タッチ位置のみを検出するための１つ以上の位置検出用入力端子を含」んでいるのに対して，引用発明は対応する構成の明示がない点。
［相違点２］
　本願発明１は，「前記駆動信号を伝達するための複数の出力端子を含み」，「前記複数の出力端子のうちの少なくとも一つは、圧力検出のためだけの圧力検出用出力端子であ」るのに対して，引用発明は対応する構成の明示がない点。
［相違点３］
　本願発明１は，「前記駆動部は、前記ｎ個の位置検出用駆動電極に駆動信号を印加する時間区間の間に、前記少なくとも一つの圧力検出用駆動電極に駆動信号を印加するように構成され」ているのに対して，引用発明はそのように構成されていない点。
（２）相違点についての判断
　以下，［相違点３］について検討する。
　引用発明は，「第１制御部１１０と第２制御部１３０との動作を切り替える役割を有」する「切替部１２２」を有し，「比較部１２１」が「入力操作を検出した場合に，第１制御部１１０の動作を停止するとともに，第２制御部１３０の動作を開始し」，「押圧操作を検出した場合に，第２制御部１３０の動作を停止するとともに，第１制御部１１０の動作を開始し」ているから，例えば，「第１制御部１１０」が動作を開始した際に，「入力操作」を検出しない場合は，「第２制御部１３０」に動作が切り替わることはないから，［相違点３］に係る「前記駆動部は、前記ｎ個の位置検出用駆動電極に駆動信号を印加する時間区間の間に、前記少なくとも一つの圧力検出用駆動電極に駆動信号を印加する」と同様の構成にはなっていない。
　そして，［相違点３］に係る構成は，周知の構成とはいえず，さらに，引用発明は，「基準電位設定部１４０」を有し，「第１制御部１１０が動作している場合は，検出電極２２に電気的ノイズが混入する可能性をより低減するために，第１導電層３１を基準電位に設定し」，「第２制御部１３０が動作している場合は，第１導電層３１に電気的ノイズが混入する可能性を低減するために，検出電極２２を基準電位に設定」しているから，電気的ノイズの混入を避けることを考慮すると，引用発明の入力操作の検出と押圧操作の検出は同時に行えないから，［相違点３］に係る構成により，入力操作の検出と押圧操作の検出を同じ時間区間で行う構成を採用することには，阻害要因があるといる。そうすると，引用発明に［相違点３］に係る構成を採用することは，当業者であっても容易であるとはいえない。
　したがって，他の相違点について判断するまでもなく，本願発明１は，当業者であっても，引用発明に基づいて容易に発明することができたものであるとはいえない。
２　本願発明２ないし７について
　本願発明２ないし７は，本願発明１の，「前記駆動部は、前記ｎ個の位置検出用駆動電極に駆動信号を印加する時間区間の間に、前記少なくとも一つの圧力検出用駆動電極に駆動信号を印加するように構成され」ていると同一の構成を備えるものであるから，本願発明１と同じ理由により，当業者であっても，引用発明に基づいて容易に発明することができたものであるとはいえない。
３　本願発明８ないし１２及び１３ないし１９について
　本願発明８ないし１２及び１３ないし１９は，本願発明１の，「前記駆動部は、前記ｎ個の位置検出用駆動電極に駆動信号を印加する時間区間の間に、前記少なくとも一つの圧力検出用駆動電極に駆動信号を印加するように構成され」ていると同一の構成を備える「タッチ検出器」及び「タッチ入力装置」であるから，本願発明１と同じ理由により，当業者であっても，引用発明に基づいて容易に発明することができたものであるとはいえない。
第７　原査定について
　審判請求時の補正により，本願発明１ないし１９は，「前記駆動部は、前記ｎ個の位置検出用駆動電極に駆動信号を印加する時間区間の間に、前記少なくとも一つの圧力検出用駆動電極に駆動信号を印加するように構成され」という事項を有するものとなっており，当業者であっても，拒絶査定において引用された引用文献１に基づいて，容易に発明できたものとはいえない。したがって，原査定を維持することはできない。
第８　むすび
　以上のとおり，原査定の理由によっては，本願を拒絶することはできない。
　また，他に本願を拒絶すべき理由を発見しない。
　よって，結論のとおり審決する。